(57)【要約】【課題】  火災発生時に、乗客の避難を誘導しつつも館内の利用者の利便性を確保してエレベータを運転させるエレベータ制御装置およびエレベータ制御方法を提供する。【解決手段】  実施形態によればエレベータ制御装置は、行き先階登録部と乗り場呼び登録部と火災検知信号取得部と動作制御部とを備える。行き先階登録部は乗りかご内の行き先階登録ボタンの操作に基づいて行き先階情報を登録する。乗り場呼び登録部はエレベータ乗り場の乗り場呼びボタンの操作に基づいて乗り場呼び情報を登録する。火災検知信号取得部、火災検知器から出力された火災検知信号を取得する。動作制御部は火災検知信号を取得すると、既に登録されたすべての行き先階情報をキャンセルして予め設定した避難階を行き先階として登録するとともに、以降の新たな行き先階情報の登録、および当該火災検知信号が出力された火災検知器の設置階の乗り場呼び登録を不可に設定する。【選択図】図２
2014114125.tif 000002
【特許請求の範囲】
【請求項１】
建物内の各階床にそれぞれ設置された火災検知器と、当該建物内のエレベータとに接続されたエレベータ制御装置において、
前記エレベータの乗りかご内の行き先階登録ボタンの操作に基づいて行き先階情報を登録する行き先階登録部と、
前記各階床のエレベータ乗り場にそれぞれ設置された乗り場呼びボタンの操作に基づいて乗り場呼び情報を登録する乗り場呼び登録部と、
前記火災検知器のいずれかで火災が感知されたときに、当該火災検知器から出力された火災検知信号を取得する火災検知信号取得部と、
前記建物内のいずれかの階床を避難階として予め設定し、前記火災検知信号取得部で火災検知信号を取得すると、前記行き先階登録部で既に登録されたすべての行き先階情報をキャンセルして前記避難階を行き先階として登録するとともに、以降の新たな行き先階情報の登録、および当該火災検知信号が出力された火災検知器の設置階の乗り場呼び登録を不可に設定する動作制御部と
を備えることを特徴とするエレベータ制御装置。
【請求項２】
前記建物内には複数のエレベータが設置され、前記各階床には、前記複数のエレベータの少なくともいずれかに隣接するエリアごとに前記火災検知器が設置され、
前記動作制御部は、前記火災検知信号取得部でいずれかのエリアの火災検知器からの火災検知信号を取得すると、当該エリアの在館者に対し、他のエリアへの移動を促すためのアナウンスを出力し、
当該エリアに隣接するエレベータについて、前記行き先階登録部で既に登録されたすべての行き先階情報をキャンセルして前記避難階を行き先階として登録するとともに、以降の新たな行き先階情報の登録、および当該火災検知信号が出力された火災検知器の設置階の乗り場呼び登録を不可に設定する
ことを特徴とする請求項１に記載のエレベータ制御装置。
【請求項３】
前記避難階として複数の階床が設定され、
前記動作制御部は、前記避難階のうち、前記エレベータの乗りかごの現在位置に最も近い避難階を前記行き先階として登録し、当該行き先階として登録した避難階に設置された火災検知器から火災検知信号を取得したときは、前記登録された行き先階を他の避難階に変更する
ことを特徴とする請求項１または２に記載のエレベータ制御装置。
【請求項４】
前記火災検知器は、煙感知器、温度計測器、または、該当する階床を撮影して得た画像情報を解析して火災発生の有無を判定する火災判定装置である
ことを特徴とする請求項１〜３いずれか１項に記載のエレベータ制御装置。
【請求項５】
前記動作制御部は、前記火災検知信号取得部ですべての階床の対応する火災検知器から火災検知信号を取得すると、前記乗りかごを、前記行き先階として設定した避難階に待機させる
ことを特徴とする請求項１〜４いずれか１項に記載のエレベータ制御装置。
【請求項６】
建物内の各階床にそれぞれ設置された火災検知器と、当該建物内のエレベータとに接続されたエレベータ制御装置が、
前記エレベータの乗りかご内の行き先階登録ボタンの操作に基づいて行き先階情報を登録する行き先階登録ステップと、
前記各階床のエレベータ乗り場にそれぞれ設置された乗り場呼びボタンの操作に基づいて乗り場呼び情報を登録する乗り場呼び登録ステップと、
前記火災検知器のいずれかで火災が感知されたときに、当該火災検知器から出力された火災検知信号を取得する火災検知信号取得ステップと、
前記建物内のいずれかの階床を避難階として予め設定し、前記火災検知信号取得ステップで火災検知信号を取得すると、前記行き先階登録ステップで既に登録されたすべての行き先階情報をキャンセルして前記避難階を行き先階として登録するとともに、以降の新たな行き先階情報の登録、および当該火災検知信号が出力された火災検知器の設置階の乗り場呼び登録を不可に設定する動作制御ステップと
を有することを特徴とするエレベータ制御方法。
【発明の詳細な説明】
【技術分野】
【０００１】
本発明の実施形態は、エレベータ制御装置およびエレベータ制御方法に関する。
【背景技術】
【０００２】
従来、建物内で火災等の災害が発生した時に、在館者の避難行動を誘導するためのエレベータ管制運転を行うシステムがある。
【０００３】
当該システムでは例えば、火災報知機の鳴動を感知したとき、または火災報知器の鳴動を認識した管理人により所定のスイッチが操作されたときに、既に登録されたエレベータの呼び登録をすべてキャンセルし、予め設定された避難階に乗りかごを着床させて乗客を避難させる。
【０００４】
また、館内の各階床の在館者数やエレベータの輸送能力等をデータベース化しておいたり、乗り場を撮影した画像情報を解析して待ち人数を計数したりすることにより、エレベータの利用状況に関する情報を取得して管制運転を行うシステムもある。
【先行技術文献】
【特許文献】
【０００５】
【特許文献１】特開２００７−１３１３６２号公報
【発明の概要】
【発明が解決しようとする課題】
【０００６】
しかし上述したようなシステムでは、管制運転に切り替わると火災発生階以外でもエレベータ呼びを登録することができなくなり、車椅子利用者や高齢者等の避難が困難になる場合があるという問題があった。
【０００７】
本発明は上記事情に鑑みてなされたものであり、火災発生時に、乗客の避難を誘導しつつも在館者の利便性を確保してエレベータを運転させるエレベータ制御装置およびエレベータ制御方法を提供することを目的とする。
【課題を解決するための手段】
【０００８】
上記目的を達成するためのエレベータ制御装置は、実施形態によれば行き先階登録部と乗り場呼び登録部と火災検知信号取得部と動作制御部とを備える。行き先階登録部は乗りかご内の行き先階登録ボタンの操作に基づいて行き先階情報を登録する。乗り場呼び登録部はエレベータ乗り場の乗り場呼びボタンの操作に基づいて乗り場呼び情報を登録する。火災検知信号取得部、火災検知器から出力された火災検知信号を取得する。動作制御部は火災検知信号を取得すると、既に登録されたすべての行き先階情報をキャンセルして予め設定した避難階を行き先階として登録するとともに、以降の新たな行き先階情報の登録、および当該火災検知信号が出力された火災検知器の設置階の乗り場呼び登録を不可に設定する。
【図面の簡単な説明】
【０００９】
【図１】第１実施形態によるエレベータ制御装置を利用したエレベータシステムの構成を示す全体図。
【図２】第１実施形態によるエレベータ制御装置を利用したエレベータシステムの構成を示すブロック図。
【図３】第１実施形態によるエレベータ制御装置の動作を示すフローチャート。
【図４】第２実施形態によるエレベータ制御装置を利用したエレベータシステムの構成を示す全体図。
【図５】第２実施形態によるエレベータ制御装置の動作を示すフローチャート。
【図６】第３実施形態によるエレベータ制御装置を利用したエレベータシステムの構成を示す全体図。
【図７】第３実施形態によるエレベータ制御装置を利用したエレベータシステムの構成を示すブロック図。
【図８】第３実施形態によるエレベータ制御装置の動作を示すフローチャート。
【発明を実施するための形態】
【００１０】
《第１実施形態》
〈第１実施形態によるエレベータシステムの構成〉
本発明の第１実施形態によるエレベータシステムの構成について、図１および図２を参照して説明する。図１は、本実施形態によるエレベータシステム１Ａの構成を示す全体図であり、図２は、本実施形態によるエレベータシステム１Ａの構成を示すブロック図である。
【００１１】
エレベータシステム１Ａは、図１に示すような１階〜６階までの階床を備える建物に設置された第１エレベータＥ1と、第１エレベータＥ1に隣接する各階床の第１エリアＡ1にそれぞれ設置された火災検知器としての煙感知器２−１〜２−６とを備える。煙感知器２−１〜２−６は、煙を感知すると火災が発生したものと判定し、火災検知信号を出力する。
【００１２】
第１エレベータＥ1は、昇降路３上部の機械室４内に設置されたエレベータ制御盤５と、エレベータ制御盤５からの制御指示により動作する巻き上げ機６と、巻き上げ機６に掛け渡されたロープ７の一端に吊り下げられ昇降路３内を移動する乗りかご８と、各階床のエレベータ乗り場にそれぞれ設置された乗り場呼びボタン９−１〜９−６とを備える。
【００１３】
ロープ７の他端には、乗りかご８とのバランスをとるように釣り合い錘１０が吊り下げられている。また、乗りかご８内には、乗客が行き先階を指定するための行き先階登録ボタン８１が設置され、エレベータ制御盤５に接続されている。
【００１４】
エレベータ制御盤５は、図２に示すように、行き先階登録部５１と、乗り場呼び登録部５２と、火災検知信号取得部５３と、動作制御部５４とを備える。
【００１５】
行き先階登録部５１は、乗りかご８内の行き先階登録ボタン８１が操作されたときに、当該操作に基づいて行き先階情報を登録する。
【００１６】
乗り場呼び登録部５２は、乗り場呼びボタン９−１〜９−６のいずれかが操作されたときに、当該操作に基づいて乗り場呼び情報を登録する。
【００１７】
火災検知信号取得部５３は、煙感知器２−１〜２−６のいずれかで煙が感知されたときに、当該煙感知器から出力される火災検知信号を取得する。
【００１８】
動作制御部５４は、行き先階登録部５１で登録された行き先階情報と、乗り場呼び登録部５２で登録された乗り場呼び情報と、火災検知信号取得部５３で取得された火災検知信号とに基づいて、巻き上げ機６や乗りかご８の動作を制御する。
【００１９】
〈第１実施形態によるエレベータシステムの動作〉
次に、本実施形態によるエレベータシステム１Ａの動作について説明する。
【００２０】
本実施形態において、第１エレベータＥ1のエレベータ制御盤５の動作制御部５４には予め、災害時の避難階として「１階」が設定されているものとする。
【００２１】
また通常状態において、エレベータ制御盤５の動作制御部５４では、乗りかご８内の利用者により行き先階登録ボタン８１が操作されたことにより行き先階登録部５１で登録された行き先階情報と、いずれかの階のエレベータ乗場で乗り場呼びボタン９−１〜９−６が操作されたことにより乗り場呼び登録部５２で登録された乗り場呼び情報とに基づいて、巻き上げ機６や乗りかご８の動作が制御されている。
【００２２】
当該エレベータシステム１Ａにおいて、建物内で火災が発生すると、発生した階床に設置された煙感知器で煙が感知され、火災検知信号が出力される。例えば図１に示すように、当該建物の５階内の場所Ｐ1で火災が発生すると、煙感知器２−５で煙が感知され、火災検知信号が出力される。
【００２３】
火災検知信号が出力されたときのエレベータ制御盤５の動作について、図３のフローチャートを参照して説明する。
【００２４】
出力された火災検知信号はエレベータ制御盤５の火災検知信号取得部５３で取得される（Ｓ１）。
【００２５】
火災検知信号取得部５３で火災検知信号が取得されると（Ｓ１の「YES」）動作制御部５４において、行き先階登録部５１に既に既に登録されているすべての行き先階情報がキャンセルされ、乗りかご８内の利用者を速やかに避難させるために避難階である「１階」が行き先階として登録されるとともに、以降の新たな行き先階情報の登録が不可に設定される。また、当該火災検知信号が出力された煙感知器２−５の設置階「５階」が危険階として認識され、当該危険階（５階）の乗り場呼び登録が不可に設定される（Ｓ２）。
【００２６】
行き先階として登録された「１階」に乗りかご８が着床すると（Ｓ３の「YES」）、火災が広がったことにより、さらに火災発生階の「５階」以外の階の煙感知器から火災検知信号が取得されたか否かが監視される（Ｓ４）。
【００２７】
このとき、火災発生階以外の階（２階、３階、４階、または６階）の乗場呼びボタン９−２、９−３、９−４、または９−６が操作されたときには、乗場呼び登録部５２により該当する乗場呼び情報が登録され、これに応答して動作制御部５４の制御により乗りかご８が登録された階に移動して利用に供される。
【００２８】
ステップＳ４の監視処理により、火災発生階以外の階（例えば４階）の煙感知器から火災検知信号が取得されたと判定されたとき（Ｓ４の「YES」）は、動作制御部５４により、この火災検知信号が出力された煙感知器２−４の設置階「４階」の乗り場呼び登録が不可に設定される（Ｓ５）。
【００２９】
その後、動作制御部５４においてすべての階に関する火災検知信号が取得されるまでステップＳ４、Ｓ５が繰り返され（Ｓ６）、すべての階の火災検知信号が取得されたと判定されたとき（Ｓ６の「YES」）には、乗りかご８が避難階「１階」で待機するように制御される（Ｓ７）。
【００３０】
以上の本実施形態によれば、建物内で火災が発生した際に、エレベータの乗りかご内の乗客を避難階に誘導し、火災発生階の乗り場呼びは不可としつつも、火災発生階以外の階の乗り場呼びを可能にすることで、在館者の利用をなるべく妨げずに安全性と利便性とのバランスのとれたエレベータの運転を行うことができる。
【００３１】
《第２実施形態》
本発明の第２実施形態として、第１実施形態と同様の構成を有するエレベータシステム１Ｂにおいて、災害時の避難階として複数階が設定されている場合について説明する。
【００３２】
本実施形態において、第１エレベータＥ1のエレベータ制御盤５の動作制御部５４には、災害時の避難階として「１階」および「４階」が設定されているものとする。
【００３３】
当該エレベータシステム１Ｂにおいて、建物内で火災が発生すると、発生した階床に設置された煙感知器で煙が感知され、火災検知信号が出力される。例えば図４に示すように、当該建物の３階内の場所Ｐ2で火災が発生すると、煙感知器２−３で煙が感知され、火災検知信号が出力される。
【００３４】
火災検知信号が出力されたときのエレベータ制御盤５の動作について、図５のフローチャートを参照して説明する。
【００３５】
出力された火災検知信号はエレベータ制御盤５の火災検知信号取得部５３で取得される（Ｓ１１）。
【００３６】
取得された火災検知信号が避難階として設定された「１階」または「４階」の煙感知器で感知されたものであるとき（Ｓ１２の「YES」）には、当該階の避難階としての設定が削除される（Ｓ１３）。ここでは、取得された火災検知信号は「３階」の煙感知器２−３で感知されており、避難階として設定された「１階」または「４階」の煙感知器で感知されたものではないため、これらの避難階としての設定は維持される。
【００３７】
次に、動作制御部５４において、行き先階登録部５１に既に既に登録されているすべての行き先階情報がキャンセルされ、避難階である「１階」または「4階」のうち乗りかご８の現在位置に近い方の階床である「４階」が行き先階として登録されるとともに、以降の新たな行き先階情報の登録が不可に設定される。また、当該火災検知信号が出力された煙感知器２−３の設置階「３階」が危険階として認識され、当該危険階（３階）の乗り場呼び登録が不可に設定される（Ｓ１４）。
【００３８】
次に、行き先階として登録された「４階」に乗りかご８が着床すると（Ｓ１５の「YES」）、火災が広がったことにより、さらに火災発生階「３階」以外の階の煙感知器から火災検知信号が取得されたか否かが監視される（Ｓ１６）。
【００３９】
このとき、火災発生階以外の階（２階、４階、５階、または６階）の乗場呼びボタン９−２、９−４、９−５、または９−６が操作されたときには、乗場呼び登録部５２により該当する乗場呼び情報が登録され、これに応答して動作制御部５４の制御により乗りかご８が登録された階に移動して利用に供される。
【００４０】
ステップＳ１６の監視処理により、火災発生階以外の階（例えば４階）の煙感知器から火災検知信号が取得されたと判定されたとき（Ｓ１６の「YES」）は、当該階がステップＳ１４で行き先階として登録されている避難階であるか否かがさらに判定される（Ｓ１７）。判定の結果、火災検知信号が行き先階として登録されている避難階の煙感知器から取得されていたときには（Ｓ１７の「YES」）、行き先階登録が他の避難階に変更される（Ｓ１８）、
ここでは、火災検知信号が「４階」の煙感知器２−４から取得されており、ステップＳ１４で行き先階として登録されている階床に該当するため、他の避難階として設定されている「１階」に行き先階登録が変更される。
【００４１】
次に、動作制御部５４においてすべての階の火災検知信号が取得されたか否かが判定される（Ｓ２０）。
【００４２】
その後、動作制御部５４においてすべての階に関する火災検知信号が取得されるまでステップＳ１６〜Ｓ１９が繰り返され、すべての階の火災検知信号が取得されたと判定されたとき（Ｓ２０の「YES」）には、動作制御部５４により、乗りかご８が行き先階として設定された避難階「１階」で待機するように制御される（Ｓ２１）。
【００４３】
以上の本実施形態によれば、複数の避難階が設定されている建物で火災が発生した際に、エレベータ乗りかご内の乗客を安全な避難階に誘導し、火災発生階の乗り場呼びは不可としつつも、火災発生階以外の階の乗り場呼びを可能にすることで、在館者の利用をなるべく妨げずにさらに安全性と利便性とのバランスのとれたエレベータの運転を行うことができる。
【００４４】
《第３実施形態》
〈第３実施形態によるエレベータシステムの構成〉
本発明の第３実施形態によるエレベータシステムの構成について、図６および図７を参照して説明する。図６は、本実施形態によるエレベータシステム１Ｃの構成を示す全体図であり、図７は、本実施形態によるエレベータシステム１Ｃの構成を示すブロック図である。
【００４５】
エレベータシステム１Ｃは、図６に示すような１階〜３０階までの階床を備える建物に設置された第２エレベータＥ2および第３エレベータＥ3と、これらを群管理制御するエレベータ群管理制御装置１１と、エレベータ群管理制御装置１１に接続された火災検知器としての煙感知器２−１〜２−６０およびスピーカ１２−１〜１２−２とを備える。煙感知器２−１〜２−６０のうち煙感知器２−１〜２−３０は、第２エレベータＥ2に隣接する各階床の第２エリアＡ2にそれぞれ設置され、煙感知器２−３１〜２−６０は、第２エレベータＥ2および第３エレベータＥ3に隣接する各階床の第３エリアＡ3にそれぞれ設置されている。また、スピーカ１２−１〜１２−３０は、各階床の第２エリアＡ2にそれぞれ設置されている。
【００４６】
第２エレベータＥ2は、昇降路３−１上部の機械室４−１に設置された巻き上げ機６−１と、巻き上げ機６−１に掛け渡されたロープ７−１の一端に吊り下げられ昇降路３−１内を移動する乗りかご８−１と、各階床の第２エレベータ乗場にそれぞれ設置された乗り場呼びボタン９−１〜９−３０とを備える。
【００４７】
第３エレベータＥ3は、昇降路３−２上部の機械室４−２に設置された巻き上げ機６−２と、巻き上げ機６−２に掛け渡されたロープ７−２の一端に吊り下げられ昇降路３−２内を移動する乗りかご８−２と、各階床の第３エレベータ乗場にそれぞれ設置された乗り場呼びボタン９−３１〜９−６０とを備える。
【００４８】
ロープ７−１、７−２の他端には、乗りかご８−１、８−２とのバランスをとるように釣り合い錘１０−１、１０−２がそれぞれ吊り下げられている。また、乗りかご８−１、８−２内には、乗客が行き先階を指定するための行き先階登録ボタン８１−１、８１−２がそれぞれ設置され、エレベータ群管理制御装置１１に接続されている。
【００４９】
エレベータ群管理制御装置１１は、図７に示すように、行き先階登録部１１１と、乗り場呼び登録部１１２と、火災検知信号取得部１１３と、動作制御部１１４とを備える。
【００５０】
行き先階登録部１１１は、乗りかご８−１、８−２内の行き先階登録ボタン８１−１、８１−２が操作されたときに、当該操作に基づいて行き先階情報を登録する。
【００５１】
乗り場呼び登録部１１１は、乗り場呼びボタン９−１〜９−６０のいずれかが操作されたときに、当該操作に基づいて乗り場呼び情報を登録する。
【００５２】
火災検知信号取得部１１３は、煙感知器２−１〜２−６０のいずれかで煙が感知されたときに、当該煙感知器から出力される火災検知信号を取得する。
【００５３】
動作制御部１１４は、行き先階登録部１１１で登録された行き先階情報と、乗り場呼び登録部１１１で登録された乗り場呼び情報と、火災検知信号取得部１１３で取得された火災検知信号とに基づいて、巻き上げ機６−１、６−２や乗りかご８−１の動作、８−２、スピーカ１２−１〜１２−３０からの音声出力を制御する。
【００５４】
〈第３実施形態によるエレベータシステムの動作〉
次に、本実施形態によるエレベータシステム１Ｃの動作について説明する。
【００５５】
本実施形態において、エレベータ群管理制御装置１１には、災害時の避難階として「１０階」および「１階」が設定されているものとする。
【００５６】
また通常状態において、エレベータ群管理制御装置１１の動作制御部１１４では、乗りかご８−１内の利用者により行き先階登録ボタン８１−１が操作されたことにより行き先階登録部１１１で登録された行き先階情報と、いずれかの階のエレベータ乗り場で乗り場呼びボタン９−１〜９−３０が操作されたことにより乗り場呼び登録部１１１で登録された乗り場呼び情報とに基づいて、巻き上げ機６−１や乗りかご８−１の動作が制御されている。また、乗りかご８−２内の利用者により行き先階登録ボタン８１−２が操作されたことにより行き先階登録部１１１で登録された行き先階情報と、いずれかの階のエレベータ乗り場で乗り場呼びボタン９−３１〜９−６０が操作されたことにより乗り場呼び登録部１１１で登録された乗り場呼び情報とに基づいて、巻き上げ機６−２や乗りかご８−２の動作が制御されている。
【００５７】
当該エレベータシステム１Ｃにおいて、建物内で火災が発生すると、発生した階床の該当エリアに設置された煙感知器で煙が感知され、火災検知信号が出力される。本実施形態において図６に示すように、（１）１３階の第２エリアＡ2の場所Ｐ3で火災が発生した場合と、（２）１５階の第３エリアＡ3の場所Ｐ4で火災が発生した場合のエレベータ群管理制御装置１１の動作について、図８のフローチャートを参照して説明する。
【００５８】
（１）１３階の第２エリアＡ2の場所Ｐ3で火災が発生した場合
当該建物内の１３階の第２エリアＡ2の場所Ｐ3で火災が発生すると、煙感知器２−１３で煙が感知され、火災検知信号が出力される。
【００５９】
出力された火災検知信号はエレベータ群管理制御装置１１の火災検知信号取得部１１３で取得される（Ｓ３１）。取得された火災検知信号が避難階として設定された「１０階」または「１階」の煙感知器で感知されたものであるときには、当該階の避難階としての設定が削除される。
【００６０】
火災検知信号取得部１１３で火災検知信号が取得されると（Ｓ３１の「YES」）、動作制御部１１４において、当該火災検知信号が建物内の第２エリアＡ2の煙感知器で感知されたものであるか否かが判定される（Ｓ３２）。
【００６１】
ここでは、煙感知器２−１３で火災検知信号が出力されており、当該煙感知器２−１３は第２エリアＡ2に設置されていることから、第２エリアＡ2の煙感知器で感知されたものであると判定される（Ｓ３２の「YES」）。
【００６２】
第２エリアＡ2の煙感知器で感知されたものであると判定されると、当該信号が検知された階よりも上階（ここでは１４階以上）の第２エリアＡ2に煙が拡充する恐れがあるとして、第２エリアＡ2の在館者に第３エリアＡ3への移動を促すための音声アナウンスがスピーカ１２−１４〜１２−３０から出力される（Ｓ３３）。このアナウンスの出力により、火災発生場所からより遠い第３エレベータＥ3を在館者になるべく利用させるようにすることができる。
【００６３】
次に動作制御部１１４において、行き先階登録部１１１に既に既に登録されているすべての行き先階情報がキャンセルされ、避難階である「１０階」または「１階」のうち乗りかご８−１の現在位置に近い方の階床である「１０階」が行き先階として登録されるとともに、以降の新たな行き先階情報の登録が不可に設定される。また、第２エレベータＥ2については、当該火災検知信号が出力された煙感知器２−１３の設置階「１３階」が危険階として認識され、当該危険階（１３階）の乗り場呼びボタン９−１３による乗り場呼び登録が不可に設定される（Ｓ３４）。
【００６４】
以降、第２エレベータＥ2について、第２実施形態で説明したステップＳ１５〜Ｓ２１の処理により、運転が制御される（Ｓ３５）。
【００６５】
（２）１５階の第３エリアＡ3の場所Ｐ4で火災が発生した場合
当該建物内の１５階の第３エリアＡ3の場所Ｐ4で火災が発生すると、煙感知器２−４５で煙が感知され、火災検知信号が出力される。
【００６６】
出力された火災検知信号はエレベータ群管理制御装置１１の火災検知信号取得部１１３で取得される（Ｓ３１）。取得された火災検知信号が避難階として設定された「１０階」または「１階」の煙感知器で感知されたものであるときには、当該階の避難階としての設定が削除される。
【００６７】
火災検知信号取得部１１３で火災検知信号が取得されると（Ｓ３１の「YES」）、動作制御部１１４において、当該火災検知信号が建物内の第２エリアＡ2の煙感知器で感知されたものであるか否かが判定される（Ｓ３２）、
ここでは、煙感知器２−４５で火災検知信号が出力されており、当該煙感知器２−４５は第３エリアＡ3に設置されていることから、第２エリアＡ2の煙感知器で検出されたものではないと判定される（Ｓ３２の「NO」）。
【００６８】
第２エリアＡ2の煙感知器で検出されたものではなく第３エリアＡ3の煙感知器で検出されたものであると判定されると、動作制御部１１４により、当該第３エリアＡ3に隣接する第２エレベータＥ2および第３エレベータＥ3の双方について、行き先階登録部１１１に既に既に登録されているすべての行き先階情報がキャンセルされ、避難階である「１０階」または「１階」のうち乗りかご８−１、８−２の現在位置に近い方の階床である「１０階」が行き先階として登録されるとともに、以降の新たな行き先階情報の登録が不可に設定される。また、第２エレベータＥ2および第３エレベータＥ3の双方について、当該火災検知信号が出力された煙感知器２−４５の設置階「１５階」が危険階として認識され、当該危険階（１５階）の乗り場呼びボタン９−１５および９−４５による乗り場呼び登録が不可に設定される（Ｓ３６）。
【００６９】
以降、第２エレベータＥ2および第３エレベータＥ3の双方について、第２実施形態で説明したステップＳ１５〜Ｓ２１の処理により、運転が制御される（Ｓ３７）。
【００７０】
以上の本実施形態によれば、複数のエレベータが異なるエリアに隣接して設置された建物内で火災が発生した際に、なるべく火災発生場所から遠いエレベータを在館者に利用させるように促すとともに、エレベータ乗りかご内の乗客を避難階に誘導し、火災発生階の乗り場呼びは不可としつつも火災発生階以外の階の乗り場呼びを可能にすることで、在館者の利用をなるべく妨げずに安全性と利便性とのバランスのとれたエレベータの運転を行うことができる。
【００７１】
上記した第１実施形態〜第３実施形態において、火災検知信号が取得された際に乗りかご内に、「すでに登録された行き先階情報がキャンセルされた」旨を示す情報、「以降の行き先階登録が不可である」旨を示す情報、「避難階に移動する」旨を示す情報等を、音声や表示で出力するようにしてもよい。
【００７２】
上述した第１実施形態〜第３実施形態においては、火災検知器として煙感知器を利用した場合について説明したがこれには限定されず、例えば温度計測器を利用して、計測値が所定値以上になったときに火災が発生したものとして感知するようにしてもよい。また、撮影機能を備えた火災判定装置を利用し、該当する階床を撮影して得た画像情報を解析して火や煙の有無を判定し、火や煙があると判定されたときに火災が発生したものとして感知したり、火災の詳細な発生場所を特定したり進行度を把握したりするようにしてもよい。
【００７３】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００７４】
１Ａ、１Ｂ、１Ｃ…エレベータシステム
２−１〜２−６０…煙感知器
３、３−１、３−２…昇降路
４、４−１、４−２…機械室
５…エレベータ制御盤
６、６−１、６−２…巻き上げ機
７、７−１、７−２…ロープ
９−１〜９−６０…ボタン
１０…釣り合い錘
１１…エレベータ群管理制御装置
１２−１〜１２−３０…スピーカ
５１…行き先階登録部
５２…乗り場呼び登録部
５３…火災検知信号取得部
５４…動作制御部
８１、８１−１、８１−２…行き先階登録ボタン
１１１…行き先階登録部
１１２…乗り場呼び登録部
１１３…火災検知信号取得部
１１４…動作制御部
【図１】
2014114125.tif 000003
【図２】
2014114125.tif 000004
【図３】
2014114125.tif 000005
【図４】
2014114125.tif 000006
【図５】
2014114125.tif 000007
【図６】
2014114125.tif 000008
【図７】
2014114125.tif 000009
【図８】
2014114125.tif 000010
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
建物内の各階床にそれぞれ設置された火災検知器と、当該建物内のエレベータとに接続されたエレベータ制御装置において、
前記エレベータの乗りかご内の行き先階登録ボタンの操作に基づいて行き先階情報を登録する行き先階登録部と、
前記各階床のエレベータ乗り場にそれぞれ設置された乗り場呼びボタンの操作に基づいて乗り場呼び情報を登録する乗り場呼び登録部と、
前記火災検知器のいずれかで火災が感知されたときに、当該火災検知器から出力された火災検知信号を取得する火災検知信号取得部と、
前記建物内の複数の階床を避難階として予め設定し、前記火災検知信号取得部で火災検知信号を取得すると、前記行き先階登録部で既に登録されたすべての行き先階情報をキャンセルして前記避難階のうち、前記エレベータの乗りかごの現在位置に最も近い避難階を行き先階として登録するとともに、以降の新たな行き先階情報の登録、および当該火災検知信号が出力された火災検知器の設置階の乗り場呼び登録を不可に設定し、当該行き先階として登録した避難階に設置された火災検知器から火災検知信号を取得したときは、前記登録された行き先階を他の避難階に変更する動作制御部と
を備えることを特徴とするエレベータ制御装置。
【請求項２】
前記建物内には複数のエレベータが設置され、前記各階床には、前記複数のエレベータの少なくともいずれかに隣接するエリアごとに前記火災検知器が設置され、
前記動作制御部は、前記火災検知信号取得部でいずれかのエリアの火災検知器からの火災検知信号を取得すると、当該エリアの在館者に対し、他のエリアへの移動を促すためのアナウンスを出力し、
当該エリアに隣接するエレベータについて、前記行き先階登録部で既に登録されたすべての行き先階情報をキャンセルして前記避難階を行き先階として登録するとともに、以降の新たな行き先階情報の登録、および当該火災検知信号が出力された火災検知器の設置階の乗り場呼び登録を不可に設定する
ことを特徴とする請求項１に記載のエレベータ制御装置。
【請求項３】
前記火災検知器は、煙感知器、温度計測器、または、該当する階床を撮影して得た画像情報を解析して火災発生の有無を判定する火災判定装置である
ことを特徴とする請求項１または２に記載のエレベータ制御装置。
【請求項４】
前記動作制御部は、前記火災検知信号取得部ですべての階床の対応する火災検知器から火災検知信号を取得すると、前記乗りかごを、前記行き先階として設定した避難階に待機
させる
ことを特徴とする請求項１〜３いずれか１項に記載のエレベータ制御装置。
【請求項５】
建物内の各階床にそれぞれ設置された火災検知器と、当該建物内のエレベータとに接続されたエレベータ制御装置が、
前記エレベータの乗りかご内の行き先階登録ボタンの操作に基づいて行き先階情報を登録する行き先階登録ステップと、
前記各階床のエレベータ乗り場にそれぞれ設置された乗り場呼びボタンの操作に基づいて乗り場呼び情報を登録する乗り場呼び登録ステップと、
前記火災検知器のいずれかで火災が感知されたときに、当該火災検知器から出力された火災検知信号を取得する火災検知信号取得ステップと、
前記建物内の複数の階床を避難階として予め設定し、前記火災検知信号取得ステップで火災検知信号を取得すると、前記行き先階登録ステップで既に登録されたすべての行き先階情報をキャンセルして前記避難階のうち、前記エレベータの乗りかごの現在位置に最も近い避難階を行き先階として登録するとともに、以降の新たな行き先階情報の登録、および当該火災検知信号が出力された火災検知器の設置階の乗り場呼び登録を不可に設定し、当該行き先階として登録した避難階に設置された火災検知器から火災検知信号を取得したときは、前記登録された行き先階を他の避難階に変更する動作制御ステップと
を有することを特徴とするエレベータ制御方法。
【手続補正２】
【補正対象書類名】明細書
【補正対象項目名】０００８
【補正方法】変更
【補正の内容】
【０００８】
上記目的を達成するためのエレベータ制御装置は、実施形態によれば行き先階登録部と乗り場呼び登録部と火災検知信号取得部と動作制御部とを備える。行き先階登録部は乗りかご内の行き先階登録ボタンの操作に基づいて行き先階情報を登録する。乗り場呼び登録部はエレベータ乗り場の乗り場呼びボタンの操作に基づいて乗り場呼び情報を登録する。火災検知信号取得部は火災検知器から出力された火災検知信号を取得する。動作制御部は火災検知信号を取得すると、既に登録されたすべての行き先階情報をキャンセルして予め設定した複数の避難階のうち、エレベータの乗りかごの現在位置に最も近い避難階を行き先階として登録するとともに、以降の新たな行き先階情報の登録、および当該火災検知信号が出力された火災検知器の設置階の乗り場呼び登録を不可に設定し、当該行き先階として登録した避難階に設置された火災検知器から火災検知信号を取得したときは、登録された行き先階を他の避難階に変更する。